(57)【要約】【課題】貯蔵室の前面開口の周縁部などでの結露を防止したうえで、消費電力の低減を十分に図れるようにする。【解決手段】貯蔵室２の前面開口を開閉する扉５と、貯蔵室２の外周壁１５における貯蔵室２の前面開口の周縁部１５ａに配された結露防止用ヒータ１９と、貯蔵室２内の温度Ｔ２を検出する庫内温度センサ２６と、外気の温度Ｔ１を検出する外気温度センサ２７と、制御部３０とを有する。制御部３０は、貯蔵室２内の温度Ｔ２が低室温温度Ｄ１以下であるときには、外気温度Ｔ１が基準温度Ｋ２以下の場合に結露防止用ヒータ１９を間欠駆動し、外気温度Ｔ１が基準温度Ｋ２を超える場合には結露防止用ヒータ１９をオン状態で維持する。制御部３０は、貯蔵室２内の温度Ｔ２が低室温温度Ｄ１を超えるときには、外気温度Ｔ１が基準温度Ｋ２以下の場合に結露防止用ヒータ１９をオフ状態で維持し、外気温度Ｔ１が基準温度Ｋ２を超える場合には結露防止用ヒータ１９を間欠駆動する。【選択図】図１
2007292378.tif 000002
【特許請求の範囲】
【請求項１】
被貯蔵物を貯蔵するための貯蔵室（２）と、貯蔵室（２）の前面開口を開閉する扉（５）と、貯蔵室（２）の外周壁（１５）における貯蔵室（２）の前面開口の周縁部（１５ａ）に配された結露防止用ヒータ（１９）と、貯蔵室（２）内の温度（Ｔ２）を検出する庫内温度センサ（２６）と、外気の温度（Ｔ１）を検出する外気温度センサ（２７）と、結露防止用ヒータ（１９）を制御する制御部（３０）とを有しており、
制御部（３０）は、貯蔵室（２）内の温度（Ｔ２）が予め設定した低室温温度（Ｄ１）以下であるときには、外気温度（Ｔ１）が予め設定した基準温度（Ｋ２）以下の場合に結露防止用ヒータ（１９）を抑制駆動し、外気温度（Ｔ１）が基準温度（Ｋ２）を超える場合には結露防止用ヒータ（１９）をオン状態で維持し、
貯蔵室（２）内の温度（Ｔ２）が低室温温度（Ｄ１）を超えるときには、外気温度（Ｔ１）が基準温度（Ｋ２）以下の場合に結露防止用ヒータ（１９）をオフ状態で維持し、外気温度（Ｔ１）が基準温度（Ｋ２）を超える場合には結露防止用ヒータ（１９）を抑制駆動することを特徴とする低温貯蔵庫。
【請求項２】
被貯蔵物を貯蔵するための貯蔵室（２）と、貯蔵室（２）の前面開口を開閉する扉（５）と、貯蔵室（２）の外周壁（１５）における貯蔵室（２）の前面開口の周縁部（１５ａ）に配された結露防止用ヒータ（１９）と、貯蔵室（２）内の温度（Ｔ２）を検出する庫内温度センサ（２６）と、外気の温度（Ｔ１）を検出する外気温度センサ（２７）と、結露防止用ヒータ（１９）を制御する制御部（３０）とを有しており、
制御部（３０）は、貯蔵室（２）内の温度（Ｔ２）が予め設定した低室温温度（Ｄ１）以下であるときには、貯蔵室（２）内の温度（Ｔ２）と外気温度（Ｔ１）との温度差が予め設定した所定値以下の場合に結露防止用ヒータ（１９）を抑制駆動し、前記温度差が前記所定値を超える場合には結露防止用ヒータ（１９）をオン状態で維持し、
貯蔵室（２）内の温度（Ｔ２）が低室温温度（Ｄ１）を超えるときには、前記温度差が前記所定値以下の場合に結露防止用ヒータ（１９）をオフ状態で維持し、前記温度差が前記所定値を超える場合には結露防止用ヒータ（１９）を抑制駆動することを特徴とする低温貯蔵庫。
【請求項３】
制御部（３０）は、外気温度（Ｔ１）が基準温度（Ｋ２）よりも高い予め設定した高湿温度（Ｋ１）を超えている場合には、結露防止用ヒータ（１９）を強制的にオンで維持する請求項１又は２記載の低温貯蔵庫。
【請求項４】
制御部（３０）は、低室温温度（Ｄ１）と基準温度（Ｋ２）と高湿温度（Ｋ１）との各設定値の組み合わせを予め複数種類記憶しており、
前記各設定値の組み合わせの種類を選択できる操作部（２０）を設けてあり、
制御部（３０）が、操作部（２０）で選択された前記各設定値に基づいて結露防止用ヒータ（１９）を制御する請求項３記載の低温貯蔵庫。
【請求項５】
扉（５）は、左右一対の観音開きの扉（５）・（５）になっており、
左右の扉（５）・（５）のうちの一方の扉（５）の揺動先端部に、左右の扉（５）・（５）を閉じたときに扉（５）・（５）間の隙間を塞ぐ仕切体（１６）を配してあり、
仕切体（１６）に、結露防止用ヒータ（１７）を配してあり、
制御部（３０）は、仕切体（１６）に配した結露防止用ヒータ（１７）を、貯蔵室（２）の前面開口の周縁部（１５ａ）に配した前記結露防止用ヒータ（１９）に連動させて制御する請求項１又は２又は３又は４記載の低温貯蔵庫。
【発明の詳細な説明】
【技術分野】
【０００１】
本発明は、玄米などの穀物や野菜などの被貯蔵物を貯蔵室に収容して低温で貯蔵する低温貯蔵庫に関する。
【背景技術】
【０００２】
特許文献１には、観音開きの左右一対の扉のうち、一方の扉の揺動先端部に、扉を閉じたときに左右の扉の隙間を塞ぐ仕切体を配し、その仕切体に結露防止用ヒータを配して仕切体の結露を防止する低温貯蔵庫が開示されている。特許文献２には、貯蔵室の前面開口の周縁部に結露防止用ヒータを配して、前記周縁部での結露を防止する低温貯蔵庫が開示されている。
【０００３】
そして、特許文献１では、外気温度が設定温度よりも高いときに結露防止用ヒータをオンし、外気温度が設定温度以下のときには結露防止用ヒータを間欠駆動している。特許文献２では、貯蔵室内の温度と外気温度との温度差が大きい場合に結露防止用ヒータをオンし、温度差が小さい場合には結露防止用ヒータをオフにしている。
【０００４】
【特許文献１】特開平５−７１８５４号公報（図１・４）
【特許文献２】特開２００１−２１２５５号公報（段落番号００１５・００３２、図１）
【特許文献３】特開２００５−１６８９４号公報（図３）
【特許文献４】特開平１０−３３９５４７号公報（図１）
【発明の開示】
【発明が解決しようとする課題】
【０００５】
特許文献１では、外気温度のみに基づいて結露防止用ヒータのオン駆動と間欠駆動とを切り替えている。このため、貯蔵室内が比較的高い温度であるなどによって結露が生じ難い状況であっても結露防止用ヒータが駆動されてしまい、その分だけ結露防止用ヒータでの無駄な電力消費を招いてしまう。
【０００６】
特許文献２では、結露防止用ヒータをオンさせるかオフにするかを切り替えるだけである。このため、結露防止用ヒータでの発熱量を大きくしなくても結露を防止できるような状況には対応できないことになり、その分だけ結露防止用ヒータでの無駄な電力消費を招いてしまう。つまり、特許文献１・２は、結露を防止できても、そのうえで消費電力の低減を十分に図ることまではできないことになる。
【０００７】
そこで本発明の目的は、貯蔵室の前面開口の周縁部などでの結露を防止したうえで、消費電力の低減を十分に図れる低温貯蔵庫を提供することにある。
【課題を解決するための手段】
【０００８】
本発明が対象とする低温貯蔵庫は、図１および図３に示すごとく、被貯蔵物を貯蔵するための貯蔵室２と、貯蔵室２の前面開口を開閉する扉５と、貯蔵室２の外周壁１５における貯蔵室２の前面開口の周縁部１５ａに配された結露防止用ヒータ１９と、貯蔵室２内の温度Ｔ２を検出する庫内温度センサ２６と、外気の温度Ｔ１を検出する外気温度センサ２７と、結露防止用ヒータ１９を制御する制御部３０とを有している。
【０００９】
本発明では、制御部３０は、図４に示すごとく、貯蔵室２内の温度Ｔ２が予め設定した低室温温度Ｄ１以下であるときには、外気温度Ｔ１が予め設定した基準温度Ｋ２以下の場合に結露防止用ヒータ１９を抑制駆動し、外気温度Ｔ１が基準温度Ｋ２を超える場合には結露防止用ヒータ１９をオン状態で維持する。また、制御部３０は、貯蔵室２内の温度Ｔ２が低室温温度Ｄ１を超えるときには、外気温度Ｔ１が基準温度Ｋ２以下の場合に結露防止用ヒータ１９をオフ状態で維持し、外気温度Ｔ１が基準温度Ｋ２を超える場合には結露防止用ヒータ１９を抑制駆動する。
【００１０】
ここでの抑制駆動には、結露防止用ヒータ１９を所定の時間間隔でオン・オフさせることを繰り返す間欠駆動の場合と、結露防止用ヒータ１９への供給電力を減らす低電力駆動の場合などが含まれる。低室温温度Ｄ１は、例えば１０℃程度の温度から選択される。基準温度Ｋ２は、例えば１８〜２２℃程度の範囲内の温度から選択される。貯蔵室２の前面開口の周縁部１５ａには、貯蔵室２の外周壁１５の外面における前部が含まれる。
【００１１】
制御部３０は、貯蔵室２内の温度Ｔ２が低室温温度Ｄ１以下であるときには、貯蔵室２内の温度Ｔ２と外気温度Ｔ１との温度差が予め設定した所定値以下の場合に結露防止用ヒータ１９を抑制駆動し、前記温度差が前記所定値を超える場合には結露防止用ヒータ１９をオン状態に維持し、また貯蔵室２内の温度Ｔ２が低室温温度Ｄ１を超えるときには、前記温度差が前記所定値以下の場合に結露防止用ヒータ１９をオフ状態で維持し、前記温度差が前記所定値を超える場合には結露防止用ヒータ１９を抑制駆動するようにしてもよい。ここでの所定値は、例えば８〜１２℃程度の範囲内から選択される。
【００１２】
制御部３０は、外気温度Ｔ１が基準温度Ｋ２よりも高い予め設定した高湿温度Ｋ１を超えている場合には、貯蔵室２内の温度Ｔ２が低室温温度Ｄ１以下か否かに関係なく、結露防止用ヒータ１９を強制的にオンで維持するようにしてもよい。ここでの高湿温度Ｋ１は、例えば２５〜３５℃程度の範囲内から選択される。
【００１３】
制御部３０が、低室温温度Ｄ１と基準温度Ｋ２と高湿温度Ｋ１との各設定値の組み合わせを予め複数種類記憶しておくとともに、前記各設定値の組み合わせの種類を選択できる操作部２０を設けておく。そして、制御部３０が、操作部２０で選択された前記各設定値に基づいて結露防止用ヒータ１９を制御するようにしてもよい。
【００１４】
扉５が、図１および図２に示すごとく、左右一対の観音開きの扉５・５になっており、左右の扉５・５のうちの一方の扉５の揺動先端部に、左右の扉５・５を閉じたときに扉５・５間の隙間を塞ぐ仕切体１６を配してあってもよい。この場合、仕切体１６に結露防止用ヒータ１７を配し、制御部３０が、仕切体１６に配した結露防止用ヒータ１７を、先の貯蔵室２の前面開口の周縁部１５ａに配した結露防止用ヒータ１９に連動させて制御するようにしてもよい。
【発明の効果】
【００１５】
本発明によれば、貯蔵室２内の温度Ｔ２と外気温度Ｔ１とに基づいて結露防止用ヒータ１７・１９をオン駆動、抑制駆動あるいはオフの３段階に制御するので、貯蔵室２の前面開口の周縁部１５ａや仕切体１６の結露を確実に防止しながら、結露防止用ヒータ１７・１９の消費電力の低減を十分かつ確実に図ることができる。
【００１６】
操作部２０によって、低室温温度Ｄ１と基準温度Ｋ２と高湿温度Ｋ１との各設定値の組み合わせの種類を選択できるようにすると、簡単な操作で低室温温度Ｄ１と基準温度Ｋ２と高湿温度Ｋ１とを予め設定できて、前記各設定値の設定の手間を軽減できる。
【発明を実施するための最良の形態】
【００１７】
図１および図２は、本発明が対象とする低温貯蔵庫を示しており、図１に示すごとく、貯蔵庫本体１は、袋詰めされた玄米などの被貯蔵物を貯蔵するための貯蔵室２と、その貯蔵室２の上側に配した機械室３とを有している。貯蔵室２の前面開口には、観音開きの左右一対の扉５・５が配されており、扉５・５によって貯蔵室２の前面開口を開閉するようになっている。扉５・５および貯蔵室２を囲む外周壁１５は、それぞれ断熱構造になっている。
【００１８】
機械室３内には、冷気循環用のダクト６と、冷凍機としての圧縮機３１（図３参照）および凝縮器９などを配している。ダクト６内には、循環ファン１０と冷却器１１とが配されており、圧縮機３１と凝縮器９と冷却器１１などを接続する管路内を冷媒が循環する。ダクト６は、その吸気口１２と送気口１３とが、貯蔵室２の天井で開口しており、循環ファン１０が駆動されることで、貯蔵室２内の空気が吸気口１２からダクト６内に吸い込まれ、冷却器１１で冷却されたのちに送気口１３から貯蔵室２内へ送気される。ダクト６は、断熱構造になっている。
【００１９】
左右の扉５・５のうち、一方の扉５（図１では左側）の揺動先端部の裏側には、左右の扉５・５を閉じたときに（図２の状態）、左右の扉５・５間の隙間を塞ぐ仕切体１６が配されている。仕切体１６は、図１に示すごとく、一方の扉５の上下の両端間にわたって延びる板状に形成されている。
【００２０】
仕切体１６の内部には、図１および図２に示すごとく、結露防止用のヒータ１７が上下方向に設けられている。貯蔵室２の外周壁１５における貯蔵室２の前面開口の周縁部１５ａには、その周縁部に沿って結露防止用のヒータ１９が内設されている。結露防止用ヒータ１７は、仕切体１６での結露を防止し、結露防止用ヒータ１９は、貯蔵室２の前面開口の周縁部１５ａでの結露を防止する。
【００２１】
機械室３の前面には、図１に示すごとく、貯蔵室２内の温度などを設定するための操作スイッチや貯蔵室２内の温度などを表示するための表示部などを有する操作パネル（操作部）２０が配される。機械室３の前面の一端側（図１では右側）には、多数の通気孔２３が配されており、通気孔２３の裏側には、凝縮器９に臨ませて冷却用ファン２５が配されている。冷却用ファン２５によって、外気が通気孔２３を介して機械室３内に吸い込まれて、凝縮器９などに送風される。
【００２２】
ダクト６の吸気口１２の近傍には、貯蔵室２内の温度を検出する庫内温度センサ２６（図３）が配されている。機械室３内であって通気孔２３の近傍には、外気の温度を検出する外気温度センサ２７（図３）が配されている。
【００２３】
貯蔵庫本体１の内部には、結露防止用ヒータ１７・１９や圧縮機３１の制御などを行う制御部３０が配される。制御部３０は、庫内温度センサ２６で検出された貯蔵室２内の温度Ｔ１が操作パネル２０などで予め設定された設定温度（例えば１３℃）Ｄ０になるように、圧縮機３１や循環ファン１０の駆動モータ３２や冷却用ファン２５の駆動モータ３３などを制御する。なお、前記設定温度Ｄ０は、例えば２〜１５℃の温度範囲内で設定可能になっている。
【００２４】
制御部３０は、仕切体１６に配した結露防止用ヒータ１７を、貯蔵室２の前面開口の周縁部１５ａに配した結露防止用ヒータ１９に連動させて制御しており、外気温度センサ２７で検出された外気の温度Ｔ１と、庫内温度センサ２６で検出された貯蔵室２内の温度Ｔ２とに基づいて結露防止用ヒータ１７・１９をそれぞれオン・オフ制御する。
【００２５】
前記結露防止用ヒータ１７・１９の制御動作を図４のフローチャートを用いて具体的に説明する。動作が開始されると、制御部３０は、ステップＳ１で前記外気温度Ｔ１が予め設定した高湿温度（例えば２８℃）Ｋ１を超えているか否かを判断し、夏場などのために外気温度Ｔ１が高湿温度Ｋ１を超えている場合には（ステップＳ１でＹＥＳ）、ステップＳ２で結露防止用ヒータ１７・１９をそれぞれ強制的にオンする。この後、ステップＳ１に戻ってステップＳ１以降の処理を繰り返す。
【００２６】
つまり、夏場は、気温が高くなるとともに湿度も高くなる傾向にあり、その高湿度の分だけ仕切体１６の外面や貯蔵室２の前面開口の周縁部１５ａに結露が生じ易い。このため、制御部３０は、外気温度Ｔ１が前記高湿温度Ｋ１を超えている場合には、結露が生じ易い状況になっていると判断し、貯蔵室２内の温度Ｔ２に関係なく、結露防止用ヒータ１７・１９をそれぞれ強制的にオンする。これによって、仕切体１６や貯蔵室２の前面開口の周縁部１５ａが暖められて結露が防止される。なお、結露の防止には、すでに発生した結露をヒータ１７・１９の熱で蒸発させる場合も含まれる。
【００２７】
夏場以外などのために、ステップＳ１で外気温度Ｔ１が高湿温度Ｋ１以下である場合には（ステップＳ１でＮＯ）、制御部３０は、ステップＳ３で前記貯蔵室温度Ｔ２が予め設定した低室温温度（例えば１０℃）Ｄ１以下か否かを判断する。前記設定温度Ｄ０を低く設定しているなどによって、貯蔵室温度Ｔ２が低室温温度Ｄ１以下になっている場合には（ステップＳ３でＹＥＳ）、ステップＳ４で外気温度Ｔ１が予め設定した基準温度（例えば２０℃）Ｋ２以下か否かを判断する。
【００２８】
そして、外気温度Ｔ１が基準温度Ｋ２以下の場合には（ステップＳ４でＹＥＳ）、制御部３０は、ステップＳ５で結露防止用ヒータ１７・１９をそれぞれ所定の時間間隔でオン・オフさせる。例えば、結露防止用ヒータ１７・１９を１０分間だけオンしたのちに、１０分間だけオフにすることを繰り返す間欠駆動（抑制駆動）を行うことになる。この後、ステップＳ１に戻って、ステップＳ１以降の処理を繰り返す。なお、基準温度Ｋ２は、高湿温度Ｋ１よりも低い値に設定される。
【００２９】
ステップＳ４で外気温度Ｔ１が基準温度Ｋ２よりも高い場合には（ステップＳ４でＮＯ）、制御部３０は、ステップＳ６で結露防止用ヒータ１７・１９をそれぞれオンし、そのオン状態を維持する。この後、ステップＳ１に戻って、ステップＳ１以降の処理を繰り返す。
【００３０】
つまり、貯蔵室温度Ｔ２が低室温温度Ｄ１以下であるときには、仕切体１６や貯蔵室２の前面開口の周縁部１５ａの温度もかなり低くなっており、外気温度Ｔ１があまり高くなっていなくても、仕切体１６の外面や貯蔵室２の前面開口の周縁部１５ａに結露が生じ易い。このため、制御部３０は、貯蔵室温度Ｔ２が低室温温度Ｄ１以下であるとともに、外気温度Ｔ１が前記高湿温度Ｋ１よりも低い基準温度Ｋ２を超えた場合には、結露防止用ヒータ１７・１９をそれぞれオン状態で維持する。
【００３１】
一方、貯蔵室温度Ｔ２が低室温温度Ｄ１以下であっても外気温度Ｔ１が基準温度Ｋ２以下の場合には、貯蔵室温度Ｔ２と外気温度Ｔ１との温度差が小さくなって、結露の発生度合いが小さくなるために、結露防止用ヒータ１７・１９を間欠駆動して仕切体１６や貯蔵室２の前面開口の周縁部１５ａをある程度暖め、これによって結露を防止しながら消費電力の低減を図っている。
【００３２】
前記設定温度Ｄ０を高く設定しているなどによって、前記ステップＳ３で貯蔵室温度Ｔ２が低室温温度Ｄ１よりも高い場合には（ステップＳ３でＮＯ）、制御部３０は、ステップＳ７で外気温度Ｔ１が前記基準温度Ｋ２以下か否かを判断する。そして、外気温度Ｔ１が基準温度Ｋ２以下の場合には（ステップＳ７でＹＥＳ）、仕切体１６や貯蔵室２の前面開口の周縁部１５ａがあまり冷えていないうえに貯蔵室温度Ｔ２と外気温度Ｔ１との温度差が小さいために、結露が発生し難くなっている。これに応じて、制御部３０は、ステップＳ８で結露防止用ヒータ１７・１９をオフ状態にし、そのオフ状態を維持する。この後、ステップＳ１に戻って、ステップＳ１以降の処理を繰り返す。
【００３３】
ステップＳ７で外気温度Ｔ１が基準温度Ｋ２よりも高い場合には（ステップＳ７でＮＯ）、貯蔵室温度Ｔ２と外気温度Ｔ１との温度差がやや大きくなるために、その度合いは小さいが結露が発生することがある。したがって、制御部３０は、ステップＳ９で結露防止用ヒータ１７・１９に対して、前述と同様の間欠駆動を行う。この後、ステップＳ１に戻って、ステップＳ１以降の処理を繰り返す。
【００３４】
なお、ステップＳ４およびステップＳ７において、外気温度Ｔ１が基準温度Ｋ２以下か否かを判断することに代えて、貯蔵室温度Ｔ２と外気温度Ｔ１との温度差が予め設定した所定値（例えば１０℃）以下か否かを判断するようにしてもよい。
【００３５】
この場合でも、ステップＳ４で前記温度差が前記所定値以下の場合にはステップＳ５に移行して、結露防止用ヒータ１７・１９を間欠駆動し、前記温度差が前記所定値を超える場合にはステップＳ６に移行して、結露防止用ヒータ１７・１９のオン状態を維持する。同様にステップＳ７で前記温度差が前記所定値以下の場合にはステップＳ８に移行して、結露防止用ヒータ１７・１９をオフ状態に維持し、前記温度差が所定値を超える場合にはステップＳ９に移行して、結露防止用ヒータ１７・１９を間欠駆動することになる。
【００３６】
ステップＳ５あるいはステップＳ９において、結露防止用ヒータ１７・１９を間欠駆動することに代えて、結露防止用ヒータ１７・１９への供給電力を、例えば半減させる電力抑制駆動（抑制駆動）を行ってもよい。
【００３７】
低室温温度Ｄ１と基準温度Ｋ２と高湿温度Ｋ１との各設定値は、操作パネル２０に配した設定用スイッチなどを用いて個別かつ任意に設定してもよいが、制御部３０が、低室温温度Ｄ１と基準温度Ｋ２と高湿温度Ｋ１との各設定値の組み合わせの種類（パターン）を制御部３０に予め複数記憶しておき、操作パネル２０の設定用スイッチなどを用いて前記各設定値の組み合わせを任意に選択できるようにしてもよい。この場合、操作部２０で選択された前記各設定値に基づいて、制御部３０が結露防止用ヒータ１７・１９を制御することになる。
【００３８】
低室温温度Ｄ１と基準温度Ｋ２と高湿温度Ｋ１との各設定値の組み合わせの種類としては、高湿温度Ｋ１が１５℃、低室温温度Ｄ１が１８℃、基準温度Ｋ２が２０℃となるパターンや、高湿温度Ｋ１が５℃、低室温温度Ｄ１が３５℃、基準温度Ｋ２が４０℃となるパターンなどが該当する。
【００３９】
前記説明では、外気温度センサ２７は、通気孔２３の近傍に設けてあって、外気温度Ｔ１を検出するためだけに用いているが、例えば凝縮器９における送風の出口側に前記外気温度センサ２７を設けてもよい。そして、制御部３０が、例えば、冷凍機の圧縮機３１の運転を停止させているときと、圧縮機３１を運転させているときとの外気温度センサ２７の検出温度の温度差を求め、この温度差が小さいときには、冷却用ファン２５の故障などによって送風が行われていないと判断して、操作パネル２０に警報表示などを行うようにしてもよい。この場合、冷凍機の圧縮機３１の運転を停止させているときの外気温度センサ２７の検出温度が前記外気温度Ｔ１として用いられる。
【００４０】
なお、冷凍機に使用する冷媒用ガスの漏れや圧縮機３１の故障などのために、冷凍機を運転させても貯蔵室温度Ｔ２が低下しないあるいは予め設定した温度以下にならない場合には、制御部３０は、外気温度Ｔ１にかかわらず結露防止用ヒータ１７・１９を強制的にオフにするように制御してもよい。この場合、前記故障などによって貯蔵室２内が冷却されていない状態で、さらに結露防止用ヒータ１７・１９によって貯蔵室２が部分的に暖められて、貯蔵室温度Ｔ２が上昇することを低減することができる。
【図面の簡単な説明】
【００４１】
【図１】本発明に係る低温貯蔵庫の正面図
【図２】低温貯蔵庫の要部を示す横断面図
【図３】制御系のブロック構成図
【図４】結露防止用ヒータの制御動作を示すフローチャート
【符号の説明】
【００４２】
２  貯蔵室
３  機械室
５  扉
１５  貯蔵室の外周壁
１５ａ  貯蔵室の前面開口の周縁部
１６  仕切体
１７・１９  結露防止用ヒータ
２０  操作パネル
２６  庫内温度センサ
２７  外気温度センサ
３０  制御部
【図１】
2007292378.tif 000003
【図２】
2007292378.tif 000004
【図３】
2007292378.tif 000005
【図４】
2007292378.tif 000006